(57)【要約】【課題】  記録媒体の種類や残余長等を管理するために、記録媒体の生産時に記憶素子や印字したデータを付加することは、部材のコストおよび工程のコストが増大することにより、記録媒体のコストアップにつながる問題がある。【解決手段】  記録媒体の種類や残余量を管理するために、記憶部を有するタグを利用し、タグをプリンタに接続できる構造にする。一方、タグは、記録媒体と一体化させるために記録媒体に付けたり離したりできる機構を有する。記録媒体の保管時は、タグと一体化させ、プリンタにセットする際は、タグと記録媒体を分離して、それぞれをプリンタにセットし、タグの記憶部にて記録媒体の種類や残余量を読み出し印字制御に用いる。尚、タグには筆記具で文字等で記録媒体の種類等を記載できる領域を有し、プリンタにセットしたときに目視できる。【選択図】  図１
2007160883.tif 000002
【特許請求の範囲】
【請求項１】
記録媒体に対して取り付け可能かつ取り外し可能な構造で記憶手段を有する情報管理部材と、記録媒体から取り外した情報管理部材を挿抜できる装着手段と、記憶手段の情報を読み取る読取手段と、読み取った情報に応じて制御を可変する制御手段を有することを特徴とする記録装置。
【請求項２】
請求項１の情報管理部材の記憶手段には、記録媒体の情報を記録することを特徴とする請求項１に記載の記録装置。
【請求項３】
請求項２における情報管理部材の記憶手段は、読み出しおよび書き込みが可能な記憶手段であり、請求項１の記録装置は、情報管理部材の記憶手段内部の情報を書き換える書き込み手段を有することを特徴とする請求項２に記載の記録装置。
【請求項４】
請求項１〜３の情報管理部材は、ロール状の記録媒体（ロール紙と称する）の先端部を固定する固定部材を有することを特徴とする請求項１〜３に記載の記録装置。
【請求項５】
請求項１〜４の情報管理部材には、情報の書き込みおよび消去ができる、または部材の貼り付けおよび剥離することのできる情報記載領域を有することを特徴とする請求項１〜４に記載の記録装置。
【請求項６】
請求項１と請求項３の記録装置は、請求項２から請求項５の情報管理部材を装着手段に装着した時に、情報記載領域が記録装置の前面に向く構造であることを特徴とする請求項１と請求項３に記載の記録装置。
【請求項７】
請求項１および６の装着手段は、記録装置と分離された外部装置に内蔵し、外部装置と記録装置間は、インターフェース手段で接続されていることを特徴とする請求項１および６に記載の記録装置。
【請求項８】
請求項７の外部装置には、請求項１の読取手段も内蔵し、外部装置と記録装置間は、インターフェース手段で接続されていることを特徴とする請求項７に記載の記録装置。
【発明の詳細な説明】
【技術分野】
【０００１】
本発明は、記録媒体に画像を形成する記録装置に関するものである。特に、使用する記録媒体を交換する記録装置における記録媒体の管理に関するものである。
【背景技術】
【０００２】
記録装置には、記録方式や記録媒体によって色々な記録装置がある。
【０００３】
例えば、複写機は、記録方式は電子写真方式で、記録媒体は、主にカットした普通紙が多いので、記録媒体の種類よりサイズに関する管理が必要である。また、インクジェット記録ヘッドを用いて、色々な記録媒体に印字するインクジェット記録装置があり、記録媒体は、普通紙だけでなく、コート紙等インクジェットのインクに合った記録媒体を用いているが、この場合もカット紙が多く、記録媒体の種類も使用するユーザーによるが数種類であり、ユーザーがカット紙の梱包材や記憶や材質の見た目で判断や管理することができる範囲である。また、インクジェット記録装置では、大きくサイズの記録媒体も印字できる所謂、大判インクジェット記録装置があり、この記録装置では、カット紙だけでなくロール紙が多く扱われている。記録媒体は、使用目的や画質要求、コスト等に応じて色々な種類のものが提供されてきて、ユーザーは場合に応じて記録媒体を使い分けている。
【０００４】
例えば、普通紙だけでなく、つや消し紙、光沢紙、半光沢紙、コート紙、和紙、新聞プルーフ紙等の特殊紙や、厚みの違いう薄紙、厚口紙や、フィルム、合成紙、クロス等紙ベースでない記録媒体等、色々ある。
【０００５】
特にロール紙では、一度記録装置にセットしたロール紙を外して、また別の種類のロール紙をセットして使用することがあり、複数種類のロール紙が外された状態が存在する。この外した状態では、ロール紙を梱包していた箱や棚に戻して管理するユーザーもいれば、記録装置周辺に単に置いておく場合もありうる。
【０００６】
このような状況の中で、記録媒体にあった印字を行うために、カット紙の場合は記録媒体の種類や素材、厚み、幅、製造年月日等を記憶した記憶素子を記録媒体に埋設し、ロール紙の場合はロール紙の心材の側面に記憶素子を設けて、適切な印字モードで印字を行うものがある（例えば、特許文献1参照）。
【０００７】
また、ロール紙を記録装置から外す前にロール紙の先端にデータ（媒体タイプ識別コードと残余長識別コード）を印字し、このロール紙を記録装置へ再度セットしたときに印字されているデータを読み取り、自動的に媒体タイプと残余長を認識する記録装置がある（例えば、特許文献２）。この場合、ロール紙を工場で生産するときに、記録媒体の前縁に最初にプリントされるか、ロール紙の側面に印字するかラベルを貼るようにしている。
【特許文献１】特開2003-226002
【特許文献２】特登録348119
【発明の開示】
【発明が解決しようとする課題】
【０００８】
[課題１]
記録媒体の種類や残余長等を管理するために、記録媒体の生産時に記憶素子や印字したデータを付加することは、部材のコストおよび工程のコストが増大することにより、記録媒体のコストアップにつながる問題がある。特に、大量に記録媒体を使用するユーザーにとっては、この問題は顕著化する。
【０００９】
[課題２]
特許文献１のような場合では、印字された記録媒体を再利用する際に、特にカット紙の場合は記憶素子の分離処理等の問題も引き起こし、ロール紙の場合は記録媒体を使い終わった芯材を捨てる際に分離処理等の問題になる。
【００１０】
[課題３]
特許文献２のような場合では、記録媒体に付加されたデータの部分が、ユーザーが印字する際にはカットして使用するために、無駄な部分が発生する。特に、記録媒体の交換作業が頻発する場合や、値段の高い記録媒体を使用する場合にはこの問題は顕著化する。
【００１１】
[課題４]
記憶素子や印字したコードをユーザーが識別できないため、記録装置へ外したロール紙再度セットする際に、外したロール紙が複数存在する場合ユーザーにどれをセットしていいか分からない問題も発生する。この問題は、ロール紙の種類が増えるほど厳しく、また似たようなロール紙が複数存在する場合に顕著化する。
【００１２】
[課題５]
ロール紙を外した際には、ロール紙の先端部がまくれてきて管理しにくい問題がある。特に、ロール紙を箱に入れないで、広い棚に置いておく場合や単に立てかけておく場合等にこの問題は多く発生する。
【００１３】
[課題６]
記録装置にセットしてあるロール紙の情報を可視化できない場合もある。一旦、記憶素子や印字したコードから読み取った情報を記録装置の表示部や記録装置に接続しているパソコン等で見ることができたとしても、表示される内容は、記録媒体のメーカまたは記録装置のメーカが設定した用語で記載されるため、ユーザーの用語の認識となじまない問題も発生する。
【課題を解決するための手段】
【００１４】
記録媒体に対して取り付け可能かつ取り外し可能な構造で記憶手段を有する情報管理部材と、記録媒体から取り外した情報管理部材を挿抜できる装着手段と、記憶手段の情報を読み取る読取手段と、読み取った情報に応じて制御を可変する制御手段を有することを特徴とする記録装置。
【００１５】
更に、情報管理部材の記憶手段には、記録媒体の情報（種類、残余長等）を記録する。
【００１６】
更に、情報管理部材の記憶手段は、読み出しおよび書き込みが可能な記憶手段であり、記録装置は、情報管理部材の記憶手段内部の情報を書き換える書き込み手段を有する。
【００１７】
更に、情報管理部材は、ロール状の記録媒体（ロール紙と称する）の先端部を固定する固定部材を有する。
【００１８】
更に、情報管理部材には、筆記用具等で情報の書き込みおよび消去ができる、またはシール等の部材の貼り付けおよび剥離することのできる情報記載領域を有する。
【００１９】
更に、記録装置は、情報管理部材を装着手段に装着した時に、情報記載領域が記録装置の前面に向く構造であることを特徴とする。
【００２０】
更に、記録装置と分離された外部装置に装着手段や読取手段を内蔵し、外部装置と記録装置間は、インターフェース手段で接続されている。
【発明の効果】
【００２１】
記録媒体から独立である情報管理部材に記録媒体の種類や残余長等の情報を記憶することにより、工場出荷時に記録媒体に情報を付加させることがないので記録媒体のコスト増大（課題１）を解決する。また、記録媒体および芯材に情報を付加させていないので、記録媒体および芯材の廃棄問題（課題２）も解決する。また、記録媒体の先端部に情報を印字しないので、無駄な使用の問題（課題３）も解決する。
【００２２】
また、情報管理部材にある情報記載領域に、ユーザーが記録媒体の呼び名やマーク等を記載することと、その情報管理部材を対応する記録媒体に取り付けることで、記録装置から外した記録媒体の種類の識別がユーザーにできる（課題４の解決）。
【００２３】
また、情報管理部材は、ロール状の記録媒体（ロール紙と称する）の先端部を固定する固定部材を有するため、ロール紙を外した際には、ロール紙の先端部がまくれないので管理しやすく、記録媒体の劣化（傷や折れ等）の防止にも役立つ（課題５の解決）。
【００２４】
また、記録装置は、情報管理部材を装着手段に装着した時に、情報記載領域が記録装置の前面に向く構造であるため、情報記載領域に記載された情報（記録媒体の種類を表す呼び名やマーク等）を容易に可視できる（課題６の解決）。
【００２５】
また、更に、情報管理部材を使用するユーザーと、情報管理部材を使用しないユーザーと両方に対して、情報管理部材および外部装置をオプション化することで、ユーザーに使用方法の選択幅を与え、かつ安価な記録装置を提供できる。
【発明を実施するための最良の形態】
【００２６】
〔記録装置本体の概略説明〕
図２はインクジェット記録装置（以後、インクジェットプリンタとも称する）の外観斜視図であり、図３は図２のインクジェット記録装置の内部を仮想的に見た斜視図である。
【００２７】
図２において、インクジェット記録装置２は、プリンタ装置本体200と、プリンタ装置本体200を乗せるスタンド300と、排紙された記録紙等の記録媒体を積載するスタッカ400とから構成されている。プリンタ装置本体200の前面に手差し挿入口201が設けられ、その下部に前面へ開閉可能なロール紙カセット202が設けられており、記録紙等の記録媒体（不図）は手差し挿入口201又はロール紙カセット202からプリンタ装置本体200内に供給される。プリンタ装置本体200は、開閉可能なアッパーカバー203を備え、図示右側には、記録媒体の情報を記憶する情報管理部材（以後、タグと称する）3と、タグ３を装着するタグ装着部５と操作パネル部12、インク供給ユニット8（インクタンクを含む）が配設されている。
【００２８】
さらに、図３において、インクジェット記録装置２の内部を仮想的に見ると、記録紙等の記録媒体を矢印Ｂ方向（副走査方向）に搬送するための搬送ローラ204と、記録媒体の幅方向（矢印Ａ方向、主走査方向）に往復移動可能に案内支持されたキャリッジユニット４と、キャリッジ４を矢印Ａ方向に往復移動させるためのキャリッジモータ（不図示）及びベルト伝動手段205と、キャリッジ４に装着された記録手段としての記録ヘッド１１とインクを供給するとともに記録ヘッド１１の吐出口の目詰まりなどによるインク吐出不良を解消させるための吸引式インク回復ユニット９を備えている。
【００２９】
図示のインクジェット記録装置の場合、キャリッジユニット４には、記録媒体にカラー記録を行うための複数の記録ヘッド１１が装着されている。この複数の記録ヘッドは、例えば、それぞれ異なった色のインクに対応した４つの記録ヘッド｛例えば、Bk（ブラック）用ヘッド、Ｃ（シアン）用ヘッド、Ｍ（マゼンタ）用ヘッド、Y（イエロー）用ヘッド｝や、更に２つの記録ヘッド例えば、淡Ｃ（淡色シアン）用ヘッド、淡Ｍ（淡色マゼンタ）用ヘッド｝を追加した６記録ヘッド等で構成されている。
【００３０】
以上の構成で記録紙等の記録媒体に記録を行う場合、搬送ローラ204によって記録媒体を所定の記録開始位置まで搬送した後、ここから記録ヘッド１１による主走査及び搬送ローラ204による副走査を繰り返すことにより、記録媒体全体に対する記録が行われる。
【００３１】
すなわち、キャリッジベルト205およびキャリッジモータ（不図示）によってキャリッジユニット4が図３中の矢印Ａ方向に移動することにより、記録媒体に記録が行われる。キャリッジユニットが走査される前の位置に戻されると、搬送ローラによって記録媒体が副走査方向（図３中の矢印Ｂ方向）に搬送され、その後再び図３中の矢印Ａ方向にキャリッジユニットの走査が行なわれることにより、記録媒体に対する画像や文字等の記録が行なわれる。上記の動作を繰り返し、記録媒体の１枚分の記録が終了すると、該記録媒体はスタッカ400内に排紙され、１枚分の記録が完了する。特に、記録媒体がロール紙（図１では不図、図４〜図６の５０に相当）である場合は、排紙される前にカッター（不図示）でロール紙をカットしてから排紙する場合がある。
【００３２】
[インクジェットプリンタ２の内部ブロック図]
図１は、本実施例のインクジェットプリンタの主要な構成を示すブロック図である。
【００３３】
図１において、１は、印字する画像データやコマンド等を供給するパソコン（PC）であり、２は、パソコンからの画像データやコマンド、パラメータ、画像処理LUT（ルックアップテーブル）等の受信を行い、受け取った画像データをコマンドやパラメータ、画像処理LUTに応じて印字するインクジェットプリンタである。
【００３４】
パソコンは、一般的なものであり、キーボードやディスプレイを有し、ユーザーとのインターフェースをアプリケーションソフトやプリンタドライバ（インクジェットプリンタ２のため）や専用プリンタ制御ソフト（RIP等）で実現している。
【００３５】
３は、記録媒体から外された情報管理部材（以後、タグと称する）で、内部に記憶部３１を有し、記録媒体の種類や残余長の情報を記憶しいている。タグ3については、後述する。
【００３６】
インクジェットプリンタ２の内部構成は、タグ３を装着するためのタグ装着部5や、プリンタ２の全体を制御するための制御ユニット20や、記録ヘッド11を搭載したキャリッジユニット4、キャリッジユニット4を主走査方向に往復移動させるキャリッジ搬送ユニット６、紙等の記録媒体を副走査方向に移動させる紙搬送ユニット７、記録ヘッド11へインクを供給する供給ユニット８、記録ヘッド１１の表面クリーニングやインク吸引、インク滴吐出等を行うことで記録ヘッド１１を良好な状態に回復させる回復ユニット９、記録ヘッド１１の電源や制御ユニット３の電源や各ユニットの電源を供給する電源ユニット１０、キースイッチ（不図）やLCD（不図）を有する操作パネル部１２から主になる。
【００３７】
キャリッジユニット４は、記録ヘッド１１を外したり付けたりできる機構を有し、電気的な接点や、インクを供給するチューブ等のジョイント部、記録ヘッド１１を支持固定する部材、キャリッジ搬送ユニット６との接続部を有し（不図）、キャリッジ搬送ユニット６のレール（不図）等で支持され、キャリッジ搬送ユニット６のタイミングベルト（不図）等でキャリッジ搬送ユニット６のモータ（不図）に接続されて、モータの回転でキャリッジユニットの主走査方向の往復移動は行われる。また、キャリッジユニット4にはエンコーダセンサ（不図）が搭載され、キャリッジ搬送ユニット6にはエンコーダ用のリニアスケール（不図）が主走査方向に張られ、キャリッジユニット4に搭載された記録ヘッド１１の位置を検出し、移動速度も制御できる。
【００３８】
紙搬送ユニット７も、紙等の記録媒体を副走査方向へ移動させるために、搬送ローラをモータ（不図）とロータリーエンコーダ（不図）で回転制御することで行う。
【００３９】
供給ユニット８は、インクタンクユニット（不図）と記録ヘッド１１をインクチューブ（不図）等で接続し、インクを供給し、インクチューブの途中に弁機構（不図）があり、記録ヘッド１１の交換や、インクタンクの交換時等に弁を閉じることでインクチューブや記録ヘッドからのインク漏れを防止している。尚、この弁機構を動かす駆動源としてモータ（不図）と弁の開閉状態を検知するための位置センサであるフォトインタラプタ（不図）を使用している。
【００４０】
回復ユニット９は、記録ヘッド１１の表面を拭くワイピング機構（不図）や記録ヘッドの表面を部材で密閉するキャッピング機構（不図）、記録ヘッド１１のノズルからインクを吸引するための吸引ポンプ機構（不図）を有し、これらを駆動するモータ（不図）と駆動伝達機構（不図）や各メカニカルな機構の状態を検出する位置センサ（不図）を有している。
【００４１】
電源ユニット１０は、ACスイッチ（不図）や操作パネル１２上のソフトスイッチ（不図）等でオンオフされ、制御ユニット３には、ロジック電源として電圧3.3Vや５Vの電源を供給し、各ユニットのアクチュエータ（モータ等）に対しては電圧24Vの電源を制御ユニット内のＩ／Ｏ制御部＆ドライバ部２６経由で供給し、記録ヘッド１１へのヘッド電源は、制御ユニット内のヘッド電源制御部（不図）介して設定された電圧値で供給している。
【００４２】
制御ユニット20は、その内部は機能的には、パソコン１とのインターフェースを行うI/F部22や全体の動作を管理するシーケンス制御部２１や、画像データから印字データへの変換処理を行う画像処理部２３、印字データをプリンタ２の動作に合わせてタイミング調整するタイミング制御部２４、記録ヘッド１１の駆動データや駆動パルスや駆動電圧等を制御するヘッド駆動部２５、プリンタ２の内部ユニットのセンサやアクチュエータ（モータ等）とのインターフェースや駆動を行うI／O制御部＆ドライバ部２６、タグ装着部５に装着されたタグ３とのアクセス制御を行うタグ情報アクセス部２７等を有する。
【００４３】
制御ユニット２０は、ここでは物理的には電気基板であり、特にシーケンス制御部２１はマイクロプロセッサ等のCPU（不図）、CPUの制御用プログラムや各種データを記憶しているROM（不図）、CPUのワークエリアとして使用され各種データを記憶するRAM（不図）、ホストコンピュータ１とのインターフェースを制御するI／F部(付図)等で構成され、画像処理部２３やタイミング制御部２４、ヘッド駆動部２５、タグ情報アクセス部２７は、ASIC（不図）とメモリ（不図）で主に構成され、I／O制御部＆ドライバ部２６は汎用LSIやトランジスタ等の電気回路で構成される。
【００４４】
画像処理部２３の内部は、パソコンからの画像データ（ここでは赤：R、緑：G、青：B）をプリンタのインク色（ここでは、ブラック：Bk、シアン：C、マゼンタ：M、イエロー：Y、淡シアン：LM、淡マゼンタ）のインク色画像データに画像処理LUTに基づいて変換する色変換処理部４１、色変換処理部４１からのインク色画像データをプリンタの出力γ特性に基づいて変換する出力γ処理部４２、出力γ処理部４２からのインク色画像データ（多値データ）を２値のインク色印字データに変換する２値化処理部４３等で、構成される。
【００４５】
タイミング制御部２４の内部は、画像処理部２３で処理されたインク色印字データ（２値）の順番（ラスター方向順）を記録ヘッド１１のノズルの順番（カラム方向順）に変換するHV変換部４４、カラム方向順に変換された印字データを格納するメモリ部４５、メモリ部４５からの読み出しタイミングを記録ヘッド１１の位置や移動方向等に応じて各インク色の印字データ毎制御し各インク色の印字がずれない様に調整するレジ調整部４６等で構成される。
【００４６】
ヘッド制御部２５は、タイミング制御部２４からの印字データを記録ヘッド１１への駆動するデータ形式に合わせた信号を生成し、シーケンス制御部２１の制御により駆動信号を生成し、これら信号を記録ヘッド１１へ送付する。記録ヘッド１１は、ヘッド制御部２５からの信号によって駆動され、インクを吐出することで、画像を形成する。
【００４７】
Ｉ／Ｏ制御部＆ドライバ部２６は、シーケンス制御部２１によってタイミング制御された信号で駆動され、接続されている各ユニット（６から１０、１２）を駆動制御する。
【００４８】
タグ情報アクセス部２７は、タグ装着部５に装着されたタグ３からの情報の読み出し及び書き込むためのアクセスをシーケンス制御部２１の制御の元に行う。シーケンス制御部２１は、読み込んだ情報を元に印字制御を行う。具体的なアクセス制御や印字制御については、後で説明する。
【００４９】
[タグの構成例と使用例]
図４〜図７にタグ３の構成例と使用例を説明する。
【００５０】
まず、図４は、タグ３は、プラスティック等のモールド部３０とバンド部３３から構成される。モールド部３０は、厚み数ミリ程度と十分に薄く平べったい形状で、内部に記憶部31を有し、モールド部３０の表面は平面性の高く、マジックペンやサインペン等の筆記具で情報を記載できる情報記載領域３２がある。尚、情報記載領域３２に記載した情報を消去して書き換えることができる筆記用具が望ましい。また、情報記載領域３２は、情報を記入したシール等を貼ることで記載情報を更新することも可能である。また、情報記載領域３２は、情報を記入したシール等を装着するホルダーで構成することも可能である。モールド部３０内部の記憶部３１は、EEPROM等の不揮発メモリ（不図）とタグ情報アクセス部２７とのインターフェースを行うＩ／Ｆ部（不図）等を有する。Ｉ／Ｆ部は、電気的に接触タイプ、非接触タイプのいずれでも構成することは可能である。
【００５１】
バンド部３３は、ロール紙５０の周長より長く、バンド部３３をロール紙50に巻きつけてバンド部３３の表面と裏面で止まる構造になっている。ここでは、バンド部３３の止める構造は限定しないが、止めたり外したり再利用出来る構造である。例えば、バンド部３３の裏面（ロール紙５０と接する面）は柔らかい素材でループ状の突起物が一面にあり、表面はかぎ状の突起物があり、これらの異なる突起物が絡まりあうことで、止める構造になっている。裏面は柔らかい素材になっているので、ロール紙５０の表面を傷つけない。また、表面の突起物は前面にある必要はなく、バンド部３３の先の方（モールド部30から遠い方）にある構造でもよい。
【００５２】
タグ３の使い方を説明する。
【００５３】
基本的な使い方は、ロール紙５０を保管する際には、タグ３のバンド部３３をロール紙５１にバンド部３３を巻き付けて止めることでロール紙５０の端部５２が剥がれないように固定し、タグ３とロール紙５０を一体化し、一方、ロール紙５１をプリンタ２にセットする際には、ロール紙５０に巻き付けたバンド部３３を剥がしてタグ３とロール紙５０とを分離し、分離したロール紙５０はインクジェットプリンタ２のロール紙カセット２０２へセットし、分離したタグ３は図４の矢印の方向で、インクジェットプリンタ２のタグ装着部５に挿入する。この時、タグ３の情報記載領域３２に一体化したロール紙５０の記録媒体の種類（例えば、普通紙、コート紙等）の名称を筆記具で記入しておく。
【００５４】
尚、タグ３の挿入の際に、情報記載領域３２がプリンタ２の前面から見えるようにするために、逆に装着できないように、タグ３のモールド部３０とプリンタ２のタグ装着部５の勘合を裏表非対象にしておくことで実現できる。
【００５５】
新品のロール紙５１をプリンタ２にセットする場合を説明する。
【００５６】
先ず、ロール紙５１をプリンタ２のロール紙カセット２０２へセットし、新品のタグ３、または記憶部３１内の情報をクリアしたタグ３をタグ装着部５にセットすると、プリンタ２内のシーケンス制御部２１は、紙搬送ユニット８やロール紙カセット２０２を介して、ロール紙がセットされたことを認識し、かつタグ情報アクセス部２７を介して、タグ３がセットされたこととタグ３が新品またはクリア済みであることを認識し、ロール紙５１をローディングし、タグ３内の記憶部３１に初期セットする情報（ここでは、記録媒体の種類と記録媒体の長さ）をオペレータに入力するように表示パネル部１２やパソコン１のモニタに表示するように制御する。オペレータからの初期セットする情報が入力されると、シーケンス制御部２１は、タグ情報アクセス部２７を介して、タグ3内の記憶部３１に初期情報またはそれをコード化した情報を記憶し、かつプリンタ２内部のＲＡＭ（不図）に記憶する。更にオペレータは、タグ３の情報記載領域３２に筆記具で記録媒体の種類名やオペレータが識別出来る用語を記載する。この記載は、プリンタ２のタグ装着部５にタグ５を装着する以前に行っても問題ない。
【００５７】
次に、プリンタ２にセットしたロール紙５１に印字が行われると、使用したロール紙５１の量をカウントし、プリンタ2内部のＲＡＭ（不図）に記憶する。尚、印字を行う際にパソコン１や操作パネル部１２から指定された記録媒体種や印字長が、セットされているロール紙５１と不一致の場合や長さが足りない場合を記憶された記録媒体種と長さ（残余長）から判断し、オペレータにパソコン１や操作パネル部１２を介して通知する。
【００５８】
次に、ロール紙５０をプリンタ２から外す場合は、操作パネル部１２からロール紙外し指示をメニュー選択等で行うと、シーケンス制御部２１は、ロール紙５０の使用量とロール紙５０の入力された長さから残余量を計算し、その残余量をタグ情報アクセス部２７を介してタグ３の記憶部３１に記憶し、ロール紙５１を巻戻して外せる状態し、外せる状態になったことを操作パネル部１２またはパソコン１に表示してオペレータに通知する。オペレータは、ロール紙５０とタグ３をプリンタ２から外し、外したタグ３とロール紙５０をバンド部３３で止めて一体化する。プリンタ２は、ロール紙５０とタグ３が外されたことを認識して、先にプリンタ2内部のＲＡＭに記憶した情報をクリアする。
【００５９】
再度、ロール紙５０を使用する場合は、ロール紙５０に巻き付けたバンド部３３を剥がしてタグ３とロール紙５０とを分離し、分離したロール紙５０はインクジェットプリンタ２のロール紙カセット２０２へセットし、分離したタグ３は図４の矢印の方向で、インクジェットプリンタ２のタグ装着部５に挿入する。プリンタ２は、前記と同様にタグ３の記憶部３１からの情報で、使用済みのロール紙５０であることや記録媒体種、残余量を認識する。使用済みのロール紙５０であることは、初期入力の長さ≠残余量から判定する方法や、専用のフラグをロール紙５０の記憶部３１に設ける方法等がある。
【００６０】
プリンタ２内にセットされたロール紙５０の残余量が印字するには足りない場合や残余量＝０になった場合は、オペレータにパソコン１や操作パネル部１２を介して通知し、タグ３の記憶部３１内の情報をクリアする。また、このクリアは自動でなく、オペレータの承認で行うことも可能である。また、タグ３を不用意に外してしまった場合にそのタグ３を再利用のために、オペレータから上クリア操作が出来る環境（メニューの選択等）を用意することも可能である。
【００６１】
また、プリンタ２内にセットされたロール紙５０の記録媒体種に応じて、印字モードの制御を行う。具体的には、１つ種類の記録媒体に対して３つ印字モード（高速モード、ノーマルモード、高精細モード）を用意して、これらの各印字モードにおいて、記録媒体種に応じて最適な印字制御（マルチパス数やキャリッジ移動速度、紙搬送量、画像処理等）を用意し、オペレータから選択された印字モードとセットされたロール紙５０の記録媒体種に応じて、上記用意された印字制御を実行する。
【００６２】
[タグ３の他の構成例]
タグ３の他の構成例を説明する。
【００６３】
図４のバンド部３３の止める構造は、上記に限定されない。例えば、ズボンのベルトのような構造でモールド部３０の一部がバックルのような機能をはたす構造にすることも可能である（ただし、図４とは逆に、ベルト部３３の端部が外側になる）。または、バンド部３３は、ロール紙の芯管５１と同等サイズになるロール状の板バネでも構成することも可能である。また、バンド部３３はゴム等の収縮性のある材質でリング状の形態で構成することも可能である。
【００６４】
また、図５にように、図４にタグ３のバンド部３３が、シール部３４にしたことで、タグ３を構成することも可能である。シール部３４は、裏に粘着性の材質を塗布したものであり、ロール紙５０の端部５２に貼り付けることで、ロール紙５０と一体化する。粘着性材質は、ロール紙５０の表面に付着しない材質であり、かつ剥離、貼り付けと再利用できるものである。
【００６５】
また、図６のように、図５のシール部３４上に記憶部３１、情報記載領域を設けることでタグ３を構成することも可能である。ただし、タグ３は、ロール紙５０に合わせて湾曲できる材質であり、また、タグ装着部５に納入できる程度の硬度を有することが望ましい。
【００６６】
また、図７のように、図４のモールド部３０とクリップ３６をチェーン３７で接続させてタグ３を構成することも可能である。クリップ３６は、図４〜図６においてロール紙50の上部から、芯管５１とロール紙５０を止めることで、ロール紙５０とタグ３を一体化する。クリップ３６は、ロール紙５０から取り外しもできる。
【００６７】
図４から図７のタグ３は、ロール紙５０だけでなく、カット紙にも適用ですることが可能である。その際、カット紙と一体化することはシール部材のある図５、６は貼り付けることで可能であり、図７はクリップ３６でカット紙を挟むことで可能であり、図４はモールド部３０をカット紙の間に差し込むことで可能である。
【００６８】
また、カット紙の場合は、残余量としては、カット紙の枚数で扱う。
【００６９】
タグ情報アクセス部２７やタグ装着部５は、図１のプリンタ２に内臓されているが、この限りではない。例えば、図１のタグ情報アクセス部２７とタグ装着部５をプリンタ２から外して外部装置に組込んで構成し、本外部装置を汎用Ｉ／Ｆ（例えば、ＵＳＢ等）を用いてプリンタ２と接続することで、構成することも可能である。特に、本外部装置の汎用Ｉ／ＦをパソコンとのＩ／Ｆと同等にすることで、プリンタ２内部の構成を安価にすることができる。また、本外部装置が接続されているか否かを判定し、接続されている場合は、記録媒体の種類や残余量の情報管理を行い、接続された以内場合は記録媒体の種類や残余量の情報管理を行わないようにシーケンス制御部２１のソフトウエア等で制御することは可能である。
【図面の簡単な説明】
【００７０】
【図１】本実施例のインクジェットプリンタの主要な構成を示すブロック図である。
【図２】インクジェット記録装置（インクジェットプリンタとも称する）の外観斜視図である。
【図３】図２のインクジェット記録装置の内部を仮想的に見た斜視図である。
【図４】タグ３の構成例と使用例を説明する図である。
【図５】タグ３の構成例と使用例を説明する図である。
【図６】タグ３の構成例と使用例を説明する図である。
【図７】タグ３の構成例と使用例を説明する図である。
【符号の説明】
【００７１】
１  パソコン
２  インクジェットプリンタ
３  タグ
５  タグ装着部
２７  タグ情報アクセス部
３０  モールド部（タグ３の）
３１  記憶部（タグ３の）
３２  情報記載領域（タグ３の）
３３  バンド部（タグ３の）
５０  ロール紙
５１  芯管（ロール紙の）
【図１】
2007160883.tif 000003
【図２】
2007160883.tif 000004
【図３】
2007160883.tif 000005
【図４】
2007160883.tif 000006
【図５】
2007160883.tif 000007
【図６】
2007160883.tif 000008
【図７】
2007160883.tif 000009